(57)【要約】【課題】使い捨ておむつに装着して使い捨ておむつの吸収性能を補助する補助吸収性物品において、高い吸収性能が得られる補助吸収性物品を提供すること。【解決手段】使い捨ておむつ１０の背側部Ｂに装着して使い捨ておむつ１０の吸収性能を補助する補助吸収性物品１であって、前記補助吸収性物品の長手方向に吸収部２と防漏部３とに区分されており、吸収部２と防漏部３との間の折り返し部Ｌで長手方向に折り返し、吸収部２を使い捨ておむつ１０の背側部Ｂの肌当接面側に配置し且つ防漏部３を使い捨ておむつ１０の背側部Ｂの非肌当接面側に配置した状態で、使い捨ておむつ１０の背側部Ｂに装着できるようになっており、吸収部２における使い捨ておむつ当接面は、液透過性シートから形成されており、防漏部３における使い捨ておむつ当接面は、防漏性シートから形成されている。【選択図】図６
2007282785.tif 000002
【特許請求の範囲】
【請求項１】
使い捨ておむつの背側部に装着して使い捨ておむつの吸収性能を補助する補助吸収性物品であって、
前記補助吸収性物品の長手方向に吸収部と防漏部とに区分されており、該吸収部と該防漏部との間の折り返し部で長手方向に折り返し、該吸収部を使い捨ておむつの背側部の肌当接面側に配置し且つ該防漏部を使い捨ておむつの背側部の非肌当接面側に配置した状態で、使い捨ておむつの背側部に装着できるようになっており、
前記吸収部における使い捨ておむつ当接面は、液透過性シートから形成されており、前記防漏部における使い捨ておむつ当接面は、防漏性シートから形成されている補助吸収性物品。
【請求項２】
前記折り返し部が使い捨ておむつの背側部の長手方向端部から長手方向外方に１０ｍｍ以上離間した状態で使い捨ておむつに装着される請求項１記載の補助吸収性物品。
【請求項３】
前記吸収部の上面側には、補助吸収性物品を使い捨ておむつに装着した状態において使い捨ておむつの長手方向中央部に向けて開口する立体ギャザーが、該吸収部の幅方向に亘って設けられている請求項１又は２に記載の補助吸収性物品。
【請求項４】
前記防漏部の幅方向両側部には、幅方向外方に延出する一対の補助ファスニングテープが設けられており、該補助ファスニングテープの下面側には、使い捨ておむつの腹側部に止着可能な補助止着部が設けられており、
前記補助ファスニングテープの前記補助止着部は、補助吸収性物品を使い捨ておむつに装着した状態において、使い捨ておむつの幅方向両側部から幅方向外方の位置に肌当接面側を向いた状態で配置するように設けられている請求項１〜３の何れかに記載の補助吸収性物品。
【請求項５】
前記吸収部における使い捨ておむつ当接面には、使い捨ておむつの肌当接面側と止着するための吸収部止着部が設けられており、前記防漏部における使い捨ておむつ当接面には、使い捨ておむつの非肌当接面側と止着するための防漏部止着部が設けられている請求項１〜４の何れかに記載の補助吸収性物品。
【請求項６】
前記使い捨ておむつは、背側部に一対のファスニングテープが設けられた展開型の使い捨ておむつである請求項１〜５の何れかに記載の補助吸収性物品。
【請求項７】
前記使い捨ておむつは、背側部に一対のファスニングテープが設けられた展開型の使い捨ておむつであり、
前記吸収部の幅方向両側部には、幅方向外方に延出する一対の補助ファスニングテープが設けられており、該補助ファスニングテープの上面側には、使い捨ておむつの腹側部に止着可能な補助止着部が設けられており、該補助ファスニングテープの下面側には、使い捨ておむつの前記ファスニングテープの止着部に止着可能なテープ間止着部が設けられており、
前記補助ファスニングテープは、補助吸収性物品を使い捨ておむつに装着した状態において、前記テープ間止着部により使い捨ておむつの前記止着部に止着されると共に、前記補助止着部により使い捨ておむつの腹側部に止着して使い捨ておむつの装着形態を形成できるようになっている請求項１〜３の何れかに記載の補助吸収性物品。
【発明の詳細な説明】
【技術分野】
【０００１】
本発明は、使い捨ておむつの吸収性能を補助する補助吸収性物品に関する。
【背景技術】
【０００２】
下記特許文献１には、ショーツの内面に装着して体液を吸収する体液吸収性物品が記載されている。特許文献１記載の体液吸収性物品は、ショーツ対向面全面に防漏層が設けられている。
【０００３】
【特許文献１】特開平１１−３１８９８５号公報
【発明の開示】
【発明が解決しようとする課題】
【０００４】
しかし、特許文献１記載の体液吸収性物品は、通常のショーツ類に装着することを想定したもので、全面的に防漏層が設けられているため、使い捨ておむつに装着した場合、蒸れやすく、皮膚にトラブルを発生させやすい。しかも、使い捨ておむつの吸収面を覆ってしまうので、その吸収力を有効に活用できない。さらに、身体のお腹側から背中側にわたって装着されるため、着用者の動きによってずれが発生した場合に、吸収性や着け心地への影響が大きい。
【０００５】
従って、本発明の目的は、使い捨ておむつに装着して使い捨ておむつの吸収性能を補助する補助吸収性物品において、高い吸収性能が得られる補助吸収性物品を提供することにある。
【課題を解決するための手段】
【０００６】
本発明は、使い捨ておむつの背側部に装着して使い捨ておむつの吸収性能を補助する補助吸収性物品であって、前記補助吸収性物品の長手方向に吸収部と防漏部とに区分されており、該吸収部と該防漏部との間の折り返し部で長手方向に折り返し、該吸収部を使い捨ておむつの背側部の肌当接面側に配置し且つ該防漏部を使い捨ておむつの背側部の非肌当接面側に配置した状態で、使い捨ておむつの背側部に装着できるようになっており、前記吸収部における使い捨ておむつ当接面は、液透過性シートから形成されており、前記防漏部における使い捨ておむつ当接面は、防漏性シートから形成されている補助吸収性物品を提供することにより前記目的を達成したものである。
【発明の効果】
【０００７】
本発明の補助吸収性物品によれば、高い吸収性能が得られる。
【発明を実施するための最良の形態】
【０００８】
以下、本発明の補助吸収性物品を、その好ましい一実施形態である第１実施形態に基づき図面を参照しながら説明する。
本発明は、使い捨ておむつの背側部に装着して使い捨ておむつの吸収性能を補助する補助吸収性物品である。本実施形態の補助吸収性物品が装着される使い捨ておむつは、図３に示す展開型の使い捨ておむつである（詳細は後述）。
【０００９】
本実施形態の補助吸収性物品１は、図１及び図２に示すように、その長手方向に吸収部２と防漏部３とに区分されている。補助吸収性物品１における「長手方向」とは、吸収部２から防漏部３に向かう方向である。
また、本実施形態の補助吸収性物品１は、図４〜図７に示すように、吸収部２と防漏部３との間の折り返し部Ｌで長手方向に折り返し、吸収部２を使い捨ておむつ１０の背側部Ｂの肌当接面側に配置し且つ防漏部３を使い捨ておむつ１０の背側部Ｂの非肌当接面側に配置した状態で、使い捨ておむつ１０の背側部Ｂに装着できるようになっている（詳細は後述）。
【００１０】
補助吸収性物品１の説明において、「下面」とは、補助吸収性物品１を折り返し部Ｌで折り返して使い捨ておむつ１０に装着した状態において、使い捨ておむつ１０に対向する面をいう。「上面」とは「下面」の反対面をいう。これら「下面」及び「上面」の意味は、折り返し部Ｌで折り返されていない状態の補助吸収性物品１においても適用される。
【００１１】
本実施形態の補助吸収性物品１について更に説明する。吸収部２は、補助吸収性物品１における吸収性能の大部分を担当する部位である。本実施形態における吸収部２は、図２に示すように、補助吸収体２１を主体として構成されている。補助吸収体２１は、吸収性コア２１Ａと、吸収性コア２１Ａを被覆する被覆シート２１Ｂとからなる。吸収性コア２１Ａは、補助吸収体２１の長手方向の略全長に亘る長さを有している。
【００１２】
吸収性コア２１Ａとしては、例えばパルプ繊維、連続繊維（トウ）等からなる繊維集合体、又は繊維集合体と吸水性ポリマーとからなるもの（吸水性ポリマーと繊維材料との混合積繊物）を用いることができる。吸収性コア２１Ａを構成する繊維としては、例えばパルプ繊維、レーヨン繊維、コットン繊維、酢酸セルロース等の親水性繊維、ポリエチレン、ポリプロピレン等のポリオレフィン系繊維、ポリエステル、ポリアミド等の縮合系繊維を用いることできる。吸水性ポリマーとしては、例えばポリアクリル酸ナトリウム、（アクリル酸−ビニルアルコール）共重合体、ポリアクリル酸ナトリウム架橋体、（でんぷん−アクリル酸）グラフト共重合体、（イソブチレン−無水マレイン酸）共重合体及びそのケン化物、ポリアスパラギン酸が挙げられる。繊維及び吸水性ポリマーは、それぞれ一種又は二種以上を組み合わせて用いることができる。
【００１３】
被覆シート２１Ｂは、液透過性シートからなり、吸収性コア２１Ａの構成材料を漏れ出さないように保持している。液透過性シートは、例えば液透過性の不織布、ティッシュペーパーからなることが好ましく、特に、直接肌に接触する面は、肌触りや強度の点から不織布からなることが好ましい。不織布としては、例えばスパンボンド−メルトブローン−スパンボンド不織布、スパンボンド−メルトブローン−メルトブローン−スパンボンド不織布、エアスルー不織布が挙げられる。
【００１４】
不織布を形成する繊維は、ポリエチレンやポリプロピレン、ポリエチレンテレフタレートなどの熱可塑性繊維からなることが好ましい。この繊維は単独でも２種類以上の樹脂を複合化した複合化繊維でもよく、特に風合いの点で鞘がポリエチレン、芯がポリプロピレンからなる複合繊維が好ましい。不織布は単層でも多層でもよく、界面活性剤処理やコロナ処理等の親水化処理を施してもよい。不織布を多層にする場合、吸収性コア２１Ａ側を目の詰まった（平均細孔径が小さい）不織布として吸収性ポリマーのこぼれ落ちを防ぎ、外側については風合いを重視して密度を低く設計することが好ましい。
【００１５】
吸収部２における使い捨ておむつ当接面には、具体的には補助吸収体２１における使い捨ておむつ当接面には、使い捨ておむつ１０の肌当接面側と止着するための吸収部止着部２２が設けられている。「吸収部２における使い捨ておむつ当接面」とは、補助吸収性物品１を使い捨ておむつ１０に装着した状態において直接的に又は間接的に（他の部材を介して）使い捨ておむつ１０に当接する面を意味する。従って、補助吸収性物品１を使い捨ておむつ１０に装着した状態において、吸収部２の下面のうち、使い捨ておむつ１０の背側部Ｂの長手方向端部から延出して使い捨ておむつ１０に当接しない領域は、「使い捨ておむつ当接面」には含まれない。
尚、この「使い捨ておむつ当接面」の説明は、「防漏部３における使い捨ておむつ当接面」についても適用される。
【００１６】
吸収部止着部２２は、例えば粘着剤や機械的面ファスナーのオス材からなる。吸収部２の使い捨ておむつ当接面において吸収部止着部２２が設けられる範囲は、使い捨ておむつ１０との止着力や吸収部２の使い捨ておむつ当接面の吸収性能等を勘案して適宜設定される。
【００１７】
吸収部２における使い捨ておむつ当接面は、液透過性シートから形成されている。吸収部２における使い捨ておむつ当接面の面積の６０％以上、より好ましくは７０％以上、更に好ましくは８０％が液透過性シートから形成されていることが好ましい。以下、「吸収部２における使い捨ておむつ当接面は、液透過性シートから形成されている」とは、吸収部２における使い捨ておむつ当接面のうちの前記割合が液透過性シートから形成されていることを意味する。本実施形態においては、吸収部２における使い捨ておむつ当接面は、被覆シート２１Ｂのみから構成されている。吸収部２の下面のうちの使い捨ておむつ当接面以外の領域については、その一部が、防漏部３の主体である防漏性シート３１の一部により被覆されている。
【００１８】
防漏部３は、その使い捨ておむつ当接面が防漏性シート３１から形成されている。防漏性シート３１は、液不透過性シート又は撥水性シートからなり、具体的には透湿性で液不透過性の多孔質フィルムや、撥水性の不織布等が好ましい。
防漏部３における使い捨ておむつ当接面には、使い捨ておむつ１０の非肌当接面側と止着するための防漏部止着部３２が設けられている。防漏部止着部３２は、例えば粘着剤や機械的面ファスナーのオス材からなる。防漏部３の使い捨ておむつ当接面において防漏部止着部３２が設けられる範囲は、使い捨ておむつ１０との止着力等を勘案して適宜設定される。本実施形態においては、防漏性シート３１及び防漏部止着部３２は、何れも前記補助吸収性物品の長手方向に折り返し部Ｌを跨ぎ、吸収部２側まで延びている。
【００１９】
吸収部２の上面側には、補助吸収性物品１を使い捨ておむつ１０に装着した状態において使い捨ておむつ１０の長手方向中央部に向けて開口する立体ギャザー４が、吸収部２の幅方向に亘って設けられている。立体ギャザー４は、立体ギャザー形成シート４１及び立体ギャザー弾性部材４２から形成されている。立体ギャザー形成シート４１は、防漏部３の長手方向端部から折り返し部Ｌを跨ぎ、吸収部２の上面側に亘っている。立体ギャザー形成シート４１の一端部は、長手方向に吸収部２の上面側に折り返されて自由端を形成し、吸収部２の上面にコ字状の接合部（図示せず）により接合されている。立体ギャザー形成シート４１の一端部には、立体ギャザー弾性部材４２が張設されており、その収縮力により立体ギャザー４が起立し、開口するようになっている。
【００２０】
立体ギャザー形成シート４１は、好ましくは撥水性不織布からなり、例えばスパンボンド−メルトブローン−スパンボンドからなる多層構成の複合不織布、スパンボンド不織布、ヒートボンド不織布、エアスルー不織布を用いることができる。
立体ギャザー弾性部材４２は、例えば糸状のもの（糸ゴム等）、所定幅の帯状のもの（平ゴム等）が好ましく、特に糸状のものが好ましい。立体ギャザー弾性部材４２の素材としては、例えば天然ゴム、スチレン−ブタジエン、ブタジエン、イソプレン、ネオプレン等の合成ゴム、ＥＶＡ、伸縮性ポリオレフィン、ウレタンが挙げられる。
【００２１】
防漏部３の幅方向両側部には、幅方向外方に延出する一対の補助ファスニングテープ５，５が設けられている。補助ファスニングテープ５の下面側には補助止着部５２が設けられている。具体的には、補助ファスニングテープ５は、その基材であるテープ本体５１とテープ本体５１の先端部の下面側に設けられた補助止着部５２とからなる。補助止着部５２は、使い捨ておむつ１０の腹側部Ａに、詳細にはランディングテープ１６（後述）に止着可能となっている。
【００２２】
補助吸収性物品１の幅は、使い捨ておむつ１０における一対のサイドギャザー１７，１７の内側縁（詳細は後述）の間隔よりも広くても狭くてもよいが、広い方がより広範囲の漏れに対応する点から好ましい。例えば、横向き状態での排尿時や、便が背中側に広がってしまった場合などにも対応し得る。
【００２３】
次に、本実施形態の補助吸収性物品１が装着される使い捨ておむつ１０について説明する。使い捨ておむつ１０は、図３に示すように、背側部Ｂに一対のファスニングテープ１５，１５が設けられた展開型の使い捨ておむつ１０である。尚、図３（ｂ）においては、ファスニングテープ１５を幅方向内方に向けて肌当接面側に折り返した状態を図示してある。
使い捨ておむつ１０は、長手方向に、着用時に着用者の腹側に配される腹側部Ａ、着用者の背側に配される背側部Ｂ、及び腹側部Ａと背側部Ｂとの間に位置し、着用時に着用者の股間部に配される股下部Ｃに区分されている。
【００２４】
背側部Ｂの両側部には一対のファスニングテープ１５，１５が幅方向外方に延出するように設けられている。ファスニングテープ１５は、その基材であるテープ本体１５Ａとテープ本体１５Ａの肌当接面側に設けられた止着部１５Ｂからなる。止着部１５Ｂは、例えば機械的面ファスナーのオス材、粘着剤からなる。腹側部Ａの非肌当接面側には、一対のファスニングテープ１５，１５を止着可能なランディングテープ１６が設けられている。ランディングテープ１６には、前述したように本実施形態の補助吸収性物品１における補助ファスニングテープ５の補助止着部５２も止着可能となっている。
【００２５】
使い捨ておむつ１０は、液透過性の表面シート１２、液不透過性又は撥水性の裏面シート１３及び液保持性の吸収体１４を備えている。使い捨ておむつ１０の肌当接面側の幅方向両側部には、一対のサイドギャザー１７，１７が長手方向に亘って設けられている。サイドギャザー１７は、使い捨ておむつ１０の両側縁部から幅方向内方に向けて配設されている。サイドギャザー１７の内側縁は自由端となっており、該自由端にはサイドギャザー弾性部材１７Ａが張設されている。
【００２６】
股下部Ｃの両側縁部は略円弧状の凹状をなしており、使い捨ておむつ１０においては、股下部Ｃにおける幅が、腹側部Ａ及び背側部Ｂそれぞれにおける幅より狭くなっている。裏面シート１３の輪郭は、使い捨ておむつ１０の輪郭（ファスニングテープ１５を除く部分）と一致している。
吸収体１４は、縦長矩形状をなし、その長手方向を、おむつ長手方向（着用時に着用者の前後方向に向けられる方向と同じ）に一致させて、裏面シート１３の幅方向中央部に接合されている。
【００２７】
サイドギャザー１７は、その幅方向外方領域が、裏面シート１３に接合されている。サイドギャザー１７の内側縁は、長手方向の両端部を除いて裏面シート１３に接合されておらず、着用時には、サイドギャザー弾性部材１７Ａの収縮力により、裏面シート１３から離間する方向に起立する。サイドギャザー１７の長手方向の両端部は、裏面シート１３に起立不可能に接合されている。
サイドギャザー１７と裏面シート１３との間には、レッグギャザー弾性部材１８が張設されており、自然状態（おむつに外力を加えない状態）においては、レッグギャザー弾性部材１８の収縮力により、股下部Ｃにレッグギャザーが形成される。
【００２８】
使い捨ておむつ１０の表面シート１２、裏面シート１３、吸収体１４、サイドギャザー１７、ファスニングテープ１５等の構成材料は、当該技術分野において通常用いられているものを用いることができる。例示すると、表面シート１２としては、補助吸収性物品１の補助吸収体２１の被覆シート２１Ｂを形成する液透過性の不織布と同じものを用いることができる。裏面シート１３としては、補助吸収性物品１の防漏性シート３１と同じものを用いることができる。吸収体１４としては、補助吸収性物品１の補助吸収体２１と同じものを用いることできる。サイドギャザー１７としては、補助吸収性物品１の立体ギャザー４と同じものを用いることができる。ファスニングテープ１５としては、補助吸収性物品１の補助ファスニングテープ５と同じものを用いることができる。
【００２９】
本実施形態の補助吸収性物品１は、例えば図４〜図７に示す手順で、図３に示す使い捨ておむつ１０の背側部Ｂに装着することができる。まず、図４及び図５に示すように、使い捨ておむつ１０の幅方向両側部から幅方向外方に展開している一対のファスニングテープ１５，１５を、使い捨ておむつ１０の肌当接面側に折り返し、止着部１５Ｂにより、サイドギャザー１７等に止着する。
【００３０】
その状態において、背側部Ｂにおける表面シート１２、サイドギャザー１７、折り返したファスニングテープ１５等に、本実施形態の補助吸収性物品１を、折り返し部Ｌで折り返していない状態で吸収部２の吸収部止着部２２により止着する。ここで、折り返し部Ｌが使い捨ておむつ１０の背側部Ｂの長手方向端部から長手方向外方に１０ｍｍ以上離間した状態で使い捨ておむつ１０に装着する。この離間距離が長いほど漏れの抑制効果は高い。この際、折り返し部Ｌで折り返した際に、補助ファスニングテープ５の補助止着部５２が使い捨ておむつ１０のランディングテープ１６に止着可能であることが必要である。また、防漏部３の剛性によっては、前記離間距離が長くなると、おむつの装着性が悪化したり、寝返りを打った際にヨレを生じやすくなるため、実施上の離間距離は制限される。したがって、前記離間距離は、１０〜１００ｍｍ、好ましくは１５〜８０ｍｍ、更に好ましくは２０〜６０ｍｍである。
【００３１】
防漏部３の剛性は、ハンドルオ・メーターにより測定した場合の測定値で２〜１０Ｎ、好ましくは２Ｎ〜８Ｎである。ハンドルオ・メーターによる測定方法は次の通りである。ＪＩＳ  Ｌ１０９６（剛軟性測定法）に準じて測定を行う。幅６０ｍｍの溝を刻んだ支持台上に、長手方向に１５０ｍｍ、幅方向に５０ｍｍに切断した防漏部３を、前記溝と直交する方向に配置する。防漏部３の中央を厚み２ｍｍのブレードで押した時に要する力を測定する。本実施形態で用いた測定装置は、株式会社大栄科学精器製作所製、風合い試験機（ハンドルオ・メーター法）、ＨＯＭ−３型である。３点（３サンプル）の平均値を測定値とする。
【００３２】
次に、図６及び図７に示すように、補助吸収性物品１を折り返し部Ｌで長手方向に折り返し、防漏部３を使い捨ておむつ１０の非肌当接面側（裏面シート１３側）に配置する。そして、防漏部３の下面側を防漏部止着部３２により使い捨ておむつ１０の非肌当接面側に止着する。ここで、補助ファスニングテープ５の補助止着部５２は、補助吸収性物品１が折り返される前においては、使い捨ておむつ１０の非肌当接面側に向いていたが、補助吸収性物品１が折り返された後においては、使い捨ておむつ１０の肌当接面側に向くことになる。また、補助ファスニングテープ５の補助止着部５２は、使い捨ておむつ１０の幅方向両側部から幅方向外方の位置に配置される。
【００３３】
このような手順により、使い捨ておむつ１０への補助吸収性物品１の装着が完了する。補助吸収性物品１が装着された使い捨ておむつ１０によれば、使い捨ておむつ１０のファスニングテープ１５は使用できないが、その代わりに、補助吸収性物品１の補助ファスニングテープ５を使い捨ておむつ１０のランディングテープ１６に止着して、補助吸収性物品１が装着された使い捨ておむつ１０を着用者に装着することができる。
【００３４】
従って、本実施形態の補助吸収性物品１によれば、使い捨ておむつ１０の肌当接面側に、使い捨ておむつ１０の吸収体１４とは別に、吸収性能の高い吸収部２に配設することができるため、使い捨ておむつ１０の吸収性能を吸収容量の点から向上させることができる。また、使い捨ておむつ１０の非肌当接面側に、防漏性能の高い防漏部３を配設することができるため、使い捨ておむつ１０の非肌当接面側の防漏性能を向上させることができる。
【００３５】
また、吸収部２における使い捨ておむつ当接面が液透過性シートである被覆シート２１Ｂをから形成されているため、体液を、吸収部２における使い捨ておむつ当接面、即ち、使い捨ておむつ１０との界面から吸収することができるため、吸収性能が優れている。
特に本実施形態においては、吸収部２と防漏部３との間の折り返し部Ｌが使い捨ておむつ１０の背側部Ｂの長手方向端部から長手方向外方に離間した状態で使い捨ておむつ１０に装着されるため、使い捨ておむつ１０の長手方向外方にも吸収部２が配置することになる。そのため、使い捨ておむつ１０の吸収性能を吸収面積の点から向上させることができる。
【００３６】
また、使い捨ておむつ１０に元々設けられているファスニングテープ１５の代わりに、使い捨ておむつ１０の非肌当接面側に配置される、補助吸収性物品１の補助ファスニングテープ５を用いて、使い捨ておむつ１０を着用者に装着することができるため、使い捨ておむつ１０を補助吸収性物品１と共に、着用者に強く密着させることができる。
【００３７】
吸収部２の上面側（装着時において肌当接面側となる）に使い捨ておむつ１０の長手方向中央部に向けて開口する立体ギャザー４が設けられているため、着用者の体と補助吸収性物品１との隙間が低減し、使い捨ておむつ１０の長手方向外方に向けて移動しようとする体液を、立体ギャザー４で堰き止め、吸収部２に吸収させることができる。
【００３８】
次に、本発明の補助吸収性物品の第２実施形態について、図８及び図９を参照しながら説明する。第２実施形態については、第１実施形態とは異なる点を中心に説明する。特に説明しない点については、第１実施形態に関して前述した説明が適宜適用される。第２実施形態においては、第１実施形態と同じ部材には同じ符号を付してある。
【００３９】
第２実施形態の補助吸収性物品１は、図８に示すように、第１実施形態の補助吸収性物品１に比して、防漏部３の幅方向両側部に一対の補助ファスニングテープ５，５が設けられていない。その代わりに、吸収部２の幅方向両側部には、幅方向外方に延出する一対の補助ファスニングテープ５，５が設けられている。補助ファスニングテープ５の上面側には、使い捨ておむつ１０の腹側部Ａに止着可能な補助止着部５２が設けられており、補助ファスニングテープ５の下面側には、使い捨ておむつ１０のファスニングテープ１５の止着部１５Ｂに止着可能なテープ間止着部５３が設けられている。テープ間止着部５３は、例えば機械的面ファスナーのメス材、粘着剤からなる。
【００４０】
補助ファスニングテープ５の構成は、テープ間止着部５３が設けられている以外は、第１実施形態における補助ファスニングテープ５と同様である。補助ファスニングテープ５は、立体ギャザー４の自由端よりも吸収部２の長手方向端部寄りに配置している。
その他の構成は、第１実施形態の補助吸収性物品１と同様である。
【００４１】
そして、第２実施形態の補助吸収性物品１においては、補助ファスニングテープ５は、補助吸収性物品１を使い捨ておむつ１０に装着した状態において、テープ間止着部５３により使い捨ておむつ１０の止着部１５に止着されると共に、補助止着部５２により使い捨ておむつ１０の腹側部Ａに止着して使い捨ておむつの装着形態を形成できるようになっている。
【００４２】
第２実施形態の補助吸収性物品１は、以下の手順で、図３に示す使い捨ておむつ１０の背側部Ｂに装着することができる。
一対のファスニングテープ１５，１５を幅方向外方に展開させた状態の使い捨ておむつ１０に、一対の補助ファスニングテープ５，５を幅方向外方に展開させた状態の補助吸収性物品１を止着する。詳細には、図９に示すように、使い捨ておむつ１０におけるファスニングテープ１５の止着部１５Ｂと、補助吸収性物品１における補助ファスニングテープ５のテープ間止着部５３を対向した位置に配置して、両者を当接させて止着する。
【００４３】
その結果、使い捨ておむつ１０のファスニングテープ１５と補助吸収性物品１の補助ファスニングテープ５とが一体化する。また、使い捨ておむつ１０の肌当接面側と補助吸収性物品１の吸収部２の下面側とを、吸収部２の下面側に設けられた吸収部止着部２２により止着する。
そして、補助吸収性物品１を折り返し部Ｌで長手方向に折り返し、使い捨ておむつ１０の非肌当接面側と補助吸収性物品１の防漏部３の下面側とを、防漏部３の下面側に設けられた防漏部止着部３２により止着する。
【００４４】
このようにして、第２実施形態の補助吸収性物品１を使い捨ておむつ１０の背側部Ｂに装着することができる。
このような装着形態においては、使い捨ておむつ１０のファスニングテープ１５は使用できないが、その代わりに、補助吸収性物品１の補助ファスニングテープ５を使い捨ておむつ１０のランディングテープ１６に止着して、補助吸収性物品１が装着された使い捨ておむつ１０を着用者に装着することができる。
【００４５】
第２実施形態の補助吸収性物品１においても、第１実施形態と同様の効果が奏される。また、第２実施形態の補助吸収性物品１においては、吸収部２と使い捨ておむつ１０との密着性あるいは吸収部２と装着者との密着性がより良好となるため、漏れの抑制が図られる。
【００４６】
第３実施形態の補助吸収性物品１は、図１０に示すように、第１実施形態の補助吸収性物品１に比して、補助ファスニングテープ５が設けられていない。その他の構成は、第１実施形態と同様である。
第３実施形態の補助吸収性物品１は、吸収部２を吸収部止着部２２により使い捨ておむつ１０の肌当接面側に止着し、折り返し部Ｌで長手方向に折り返し、防漏部３を防漏部止着部３２により使い捨ておむつ１０の非肌当接面側に止着して、使い捨ておむつ１０の背側部Ｂに装着することができる。第３実施形態の補助吸収性物品１は補助ファスニングテープ５を有していないため、第３実施形態の補助吸収性物品１が装着された使い捨ておむつ１０は、使い捨ておむつ１０のファスニングテープ１５を用いて、着用者に装着することになる。
【００４７】
第３実施形態の補助吸収性物品１が装着された使い捨ておむつ１０は、例えば以下の廃棄形態で廃棄することができる。図１１（ａ）に示すように、一対のファスニングテープ１５を幅方向外方に展開した状態で、使い捨ておむつ１０の非肌当接面側に折り返されていた防漏部３を使い捨ておむつ１０の肌当接面側に折り返して、補助吸収性物品１を折り返し部Ｌで折り返されていない状態にする。
【００４８】
次に、使い捨ておむつ１０の腹側部Ａ及び股下部Ｃを背側部Ｂに向けて順次長手方向に肌当接面側を内側にして巻き上げる。そして、巻き上げた腹側部Ａ及び股下部Ｃを補助吸収性物品１の吸収部２の上面側に配置する。
【００４９】
次いで、図１１（ｂ）に示すように、巻き上げられた腹側部Ａ及び股下部Ｃを吸収部２及び防漏部３で被覆するように挟み込む。その後、使い捨ておむつ１０の一対のファスニングテープ１５，１５を幅方向内方に折り返し、止着部１５Ｂにより防漏部３の下面（この状態では外に配置された面）に止着して廃棄形態を完成する。このような廃棄形態によれば、使い捨ておむつ１０の背側部Ｂの長手方向端部からの便等のはみ出し防止性が高い。
従って、第３実施形態の補助吸収性物品１によれば、漏れ難い廃棄形態で簡便に廃棄することができる。
【００５０】
第４実施形態の補助吸収性物品１は、第３実施形態の補助吸収性物品１に比して、吸収部２の平面視形状及び立体ギャザー４が設けられていない点が異なる。その他の構成は、第３実施形態と同様である。第４実施形態における吸収部２は、図１２に示すように、長手方向端部の幅方向中央部が長手方向中央部に向けて凹んでおり、略馬蹄形の平面視形状を有している。
【００５１】
略馬蹄形の吸収部２を備えた第４実施形態の補助吸収性物品１は、例えば図１３に示すように、図３に示す使い捨ておむつ１０の肌当接面側に対し、表面シート１２には止着することなく、サイドギャザー１７のみに止着することができる。そのため、使い捨ておむつ１０の吸収面の有効幅を広く確保し、馬蹄形の吸収部２が防漏壁の役割を果たすため、特に軟便の漏れ抑制に効果的である。
【００５２】
以上、本発明の補助吸収性物品の好ましい実施形態について説明したが、本発明は、上述した実施形態に制限されず、本発明の趣旨を逸脱しない範囲で種々変更が可能である。
補助吸収性物品は、折り返し部Ｌを使い捨ておむつ１０の背側部Ｂの長手方向端部と略一致させて（折り返し部Ｌを使い捨ておむつ１０の背側部Ｂの長手方向端部から長手方向外方に離間させることなく）、装着することができる。
本発明の補助吸収性物品は、使い捨ておむつ１０の腹側部Ａにも装着することができ、また、うつ伏せ寝状態の着用者への装着用に用いることができる。
【００５３】
防漏部３の上面側には吸収体が配設されていてもよい。
本発明の補助吸収性物品が装着される使い捨ておむつは、展開型の使い捨ておむつに制限されず、パンツ型の使い捨ておむつでもよい。また、パンツ型の使い捨ておむつの場合は、補助吸収性物品をおむつのウエスト開口部に装着することができるので、補助吸収性物品が装着された使い捨ておむつを着用者に装着した際に、補助吸収性物品を、着用者の腹側や背側に配置させるだけでなく、着用者の左右両側部に配置させることもできる。
【図面の簡単な説明】
【００５４】
【図１】図１は、本発明の補助吸収性物品の第１実施形態を示す図で、（ａ）は平面図、（ｂ）は底面図である。
【図２】図２は、図１に示す補助吸収性物品を幅方向中央で切断した長手方向に沿う縦断面図である。
【図３】図３は、図１に示す補助吸収性物品が装着される使い捨ておむつを示す図で、（ａ）は自然状態の斜視図、（ｂ）は伸長状態の平面図である。
【図４】図４は、図１に示す補助吸収性物品を図３に示す使い捨ておむつの背側部に装着する過程を示す図で、（ａ）は平面図、（ｂ）は底面図である。
【図５】図５は、図４（ａ）に示す状態を幅方向中央で切断した長手方向に沿う縦断面図である。
【図６】図６は、図１に示す補助吸収性物品を図３に示す使い捨ておむつの背側部に装着した状態を示す図で、（ａ）は平面図、（ｂ）は底面図である。
【図７】図７は、図６（ａ）に示すVII−VII断面図である。
【図８】図８は、本発明の補助吸収性物品の第２実施形態を示す図で、（ａ）は平面図、（ｂ）は底面図である。
【図９】図９は、図８に示す補助吸収性物品を図３に示す使い捨ておむつの背側部に装着する過程を示す図で、図８（ａ）に示すIX−IX断面図である。
【図１０】図１０は、本発明の補助吸収性物品の第３実施形態を示す図で、（ａ）は平面図、（ｂ）は底面図である。
【図１１】図１１（ａ）及び図１１（ｂ）は、図１０に示す補助吸収性物品を装着した使い捨ておむつを廃棄形態に形成する手順を順次示す平面図である。
【図１２】図１２は、本発明の補助吸収性物品の第４実施形態を示す平面図である。
【図１３】図１３は、図１２に示す補助吸収性物品を使い捨ておむつの背側部に装着した状態を示す平面図である。
【符号の説明】
【００５５】
１  補助吸収性物品
２  吸収部
２１  補助吸収体
２１Ａ  吸収性コア
２１Ｂ  被覆シート
２２  吸収部止着部
３  防漏部
３１  防漏性シート
３２  防漏部止着部
４  立体ギャザー
４１  立体ギャザー形成シート
４２  立体ギャザー弾性部材
５  補助ファスニングテープ
５１  テープ本体
５２  補助止着部
５３  テープ間止着部
１０  使い捨ておむつ
１２  表面シート
１３  裏面シート
１４  吸収体
１５  ファスニングテープ
１５Ａ  テープ本体
１５Ｂ  止着部
１６  ランディングテープ
１７  サイドギャザー
Ａ  腹側部
Ｂ  背側部
Ｃ  股下部
Ｌ  折り返し部
【図１】
2007282785.tif 000003
【図２】
2007282785.tif 000004
【図３】
2007282785.tif 000005
【図４】
2007282785.tif 000006
【図５】
2007282785.tif 000007
【図６】
2007282785.tif 000008
【図７】
2007282785.tif 000009
【図８】
2007282785.tif 000010
【図９】
2007282785.tif 000011
【図１０】
2007282785.tif 000012
【図１１】
2007282785.tif 000013
【図１２】
2007282785.tif 000014
【図１３】
2007282785.tif 000015